(57)【要約】【課題】高優先度データを扱う通信の所要時間を短縮することができ、高優先度データを扱う通信中に低優先度データの滞留が生じにくい昇降機用データ通信システムの提供。【解決手段】管理センタ装置４は診断端末装置２−１等に一般電話回線３からなる回線５−１等を介し接続可能で、回線５−１等は優先度に対応付けられたグループ６−１等に分割されている。管理センタ装置４の割当処理部７は、記憶装置８に記憶された割当定義８ａと通信要求スケジュール表８ｂとに基づいてデータをその種類に対応するグループ中の回線に割り当てる第１割当処理手段７ａ、高優先度用グループに対する高優先度データの過剰を判定する判定手段７ｂ、低優先度用グループ中の回線に高優先度データの過剰分を割り当てる第２割当処理手段７ｃとして機能する。低優先度用グループの総回線数から所定数を減じた回線数が高優先度データを割り当てる回線数の上限に設定されている。【選択図】図１
2009152994.tif 000002
【特許請求の範囲】
【請求項１】
昇降機の稼働状態に関連する計測データを取得する複数の診断端末装置と、これらの診断端末装置との間で、前記計測データおよびその他の複数種類のデータを扱う通信を行う管理センタ装置とを備えている昇降機用通信システムにおいて、
前記診断端末装置と前記管理センタ装置との間で扱われるデータの種類のそれぞれに、通信を優先すべき程度の高さを示す優先度が対応付けられていて、
前記複数の診断端末装置のそれぞれは複数の回線を介して接続可能であり、前記複数の回線はデータの優先度に対応付けられた複数の回線グループに分割されていて、
前記管理センタ装置は、データをその優先度に対応する回線グループ中の回線に割り当てる第１割当処理手段と、高優先度に対応する回線グループに対して高優先度データのデータ量が過剰かどうかを判定する判定手段と、この判定手段により過剰と判定されたときに、低優先度に対応する回線グループ中の回線に高優先度データの過剰分を割り当てる第２割当処理手段とを備えていて、
前記第２割当処理手段は、低優先度に対応する回線グループ中の総回線数から所定数を減じた回線数を、高優先度データを割り当てる回線数の上限としている
ことを特徴とする昇降機用データ通信システム。
【請求項２】
請求項１に記載の発明において、
前記所定数が１であることを特徴とする昇降機用データ通信システム。
【発明の詳細な説明】
【技術分野】
【０００１】
本発明は、昇降機の稼働状態に関連する計測データを取得する複数の診断端末装置と、これらの診断端末装置との間で、計測データおよびその他の複数種類のデータの通信を行う管理センタ装置とを備えていて、複数の診断端末装置のそれぞれが管理センタ装置に複数の回線を介して接続可能な昇降機用データ通信システムに関する。
【背景技術】
【０００２】
従来の昇降機用データ通信システムは、昇降機の稼働状態に関連する計測データを取得する複数の診断端末装置と、これらの診断端末装置との間で、計測データやその他の複数種類のデータの通信を行う管理センタ装置とを備えている。管理センタ装置は、複数の診断端末装置からのデータを収集して管理する。これによって、顧客に対する昇降機の診断結果等の報告サービスの向上や、昇降機の保守・点検作業の効率の向上に寄与している。
【０００３】
診断端末装置と管理センタ装置との間で扱われるデータの種類には、昇降機の稼働状態に関連する計測データ、昇降機の初期設定データ、診断端末装置のアップデートデータ、診断装置の初期設定データ、診断端末装置の状態データなどがある。複数の診断端末装置のそれぞれは複数の回線を介して接続可能である。データの種類には、通信を優先すべき程度の高さを示す優先度と、回線とが予め対応付けられている。優先度は１回線に対して重複しないように設定されている。そして、管理センタ装置は、診断端末装置との通信の際、その通信で扱うデータを、このデータに関連付けられた回線に割り当てる割当処理手段を備えている。割当処理手段は、１回線に対して優先度の異なるデータを扱う通信が同時に要求されたとき、高優先度データを低優先度データよりも先にその回線に割り当て、高優先度データを扱う通信が終了してから、低優先度データをその回線に割り当てるようになっている。
【０００４】
ここまでに説明した従来の昇降機用データ通信システムについては特許文献１を参照されたい。
【特許文献１】特開２００６−３１９６３０号公報
【発明の開示】
【発明が解決しようとする課題】
【０００５】
ところで、高優先度データには、診断端末装置のアップデートデータのように、データ量が大きいものがある。前述した従来の昇降機用データ通信システムでは、アップデートデータを診断端末装置に送信する際、アップデートデータに対応する回線が使用されることになるが、その回線のみではアップデートデータのデータ量が多いために時間がかかり、アップデートデータを扱う通信が終了するまで、その回線に対応する低優先度の他の種類のデータが滞留することになる。この間、他の回線が空き回線となっている場合があり、その空き回線は無駄になっている。
【０００６】
本発明は、前述の事情を考慮してなされたものであり、その目的は、高優先度データを扱う通信の所要時間を短縮することができ、かつ、高優先度データを扱う通信中における低優先度データの滞留を生じにくくすることができる昇降機用データ通信システムを提供することにある。
【課題を解決するための手段】
【０００７】
前述の目的を達成するために、本発明の昇降機用データ通信システムは、  昇降機の稼働状態に関連する計測データを取得する複数の診断端末装置と、これらの診断端末装置との間で、前記計測データおよびその他の複数種類のデータを扱う通信を行う管理センタ装置とを備えている昇降機用通信システムにおいて、前記診断端末装置と前記管理センタ装置との間で扱われるデータの種類のそれぞれに、通信を優先すべき程度の高さを示す優先度が対応付けられていて、前記複数の診断端末装置のそれぞれは複数の回線を介して接続可能であり、前記複数の回線はデータの優先度に対応付けられた複数の回線グループに分割されていて、前記管理センタ装置は、データをその優先度に対応する回線グループ中の回線に割り当てる第１割当処理手段と、高優先度に対応する回線グループに対して高優先度データのデータ量が過剰かどうかを判定する判定手段と、この判定手段により過剰と判定されたときに、低優先度に対応する回線グループ中の回線に高優先度データの過剰分を割り当てる第２割当処理手段とを備えていて、前記第２割当処理手段は、低優先度に対応する回線グループ中の総回線数から所定数を減じた回線数を、高優先度データを割り当てる回線数の上限としていることを特徴とする。
【０００８】
このように構成された本発明の昇降機用データ通信システムでは、管理センタ装置が診断端末装置との間で高優先度データを扱う通信を行う際、第１割当処理手段は、高優先度に対応する回線グループ中の回線に高優先度データを割り当てる処理を行う。このとき、判定手段により高優先度データのデータ量が過剰であると判定されると、第２割当処理手段は、低優先度に対応する回線グループ中の回線に高優先度データの過剰分を割り当てる処理を行う。これにより、高優先度データを扱う通信の所要時間を短縮することができる。
【０００９】
また、第２割当処理手段は、低優先度に対応する回線グループ中の総回線数から所定数を減じた回線数を、高優先度データを割り当てる回線数の上限としている。つまり、低優先度に対応する回線グループ中の回線で高優先度データを扱った通信が行われている間、少なくとも所定数の回線で低優先度データを扱う通信を行うことができる。これにより、高優先度データを扱う通信中における低優先度データの滞留を生じにくくすることができる。
【発明の効果】
【００１０】
本発明によれば、前述したように、高優先度データを扱う通信の所要時間を短縮することができ、かつ、高優先度データを扱う通信中における低優先度データの滞留を生じにくくすることができる。
【発明を実施するための最良の形態】
【００１１】
本発明の昇降機用データ通信システムの一実施形態について、図１，２，３を用いて説明する。図１は本発明の一実施形態に係る昇降機用データ通信システムの構成の概略を示すブロック図である。図２は図１に示した割当処理部が第２割当処理手段として機能したことによる回線の使用状況の推移の一例を単純化して示す図である。図３は図１に示した割当処理部が高優先度データの割当処理を行う際の処理の流れを示すフローチャートである。
【００１２】
図１に示すように、本実施形態に係る昇降機用データ通信システム１は、建物に設置されたエレベータなどの昇降機の稼働状態に関連する計測データを取得する複数の診断端末装置２−１〜２−Ｎと、これらの診断端末装置２−１〜２−Ｎとの間で通信回線、例えば一般電話回線３を使用して計測データおよびその他の複数種類のデータを扱う通信を行う管理センタ装置４とを備えている。診断端末装置２−１〜２−Ｎと管理センタ装置４との間で扱われるデータの種類としては、前記計測データの他に、昇降機の初期設定データ、診断端末装置のアップデートデータ、診断装置の初期設定データ、診断端末装置の状態データなどがある。ここでは説明を簡単にするためにそれらのデータの種類をＡ，Ｂ，Ｃ，・・・とする。
【００１３】
診断端末装置２−１〜２−Ｎと管理センタ装置４との間で扱われるデータの種類Ａ，Ｂ，Ｃ，・・・のそれぞれには、通信を優先すべき程度の高さを示す優先度が対応付けられている。優先度は、例えば高優先度と低優先度の２種類、すなわち、優先するか優先しないかの２種類であり、以下では、高優先度が対応付けられた種類のデータを「高優先度データ」といい、低優先度が対応付けられた種類のデータを「低優先度データ」という。
【００１４】
管理センタ装置４と、診断端末装置２−１〜２−Ｎのそれぞれは、複数の回線５−１〜５−Ｎを介して接続可能であり、これらの回線５−１〜５−Ｎはデータの優先度に対応付けられた複数の回線グループ６−１〜６−Ｎに分割されている。以下では高優先度データに対応する回線グループを「高優先度用グループ」といい、低優先度データに対応する回線グループを「低優先度用グループ」という。なお、符号「２−Ｎ」，「５−Ｎ」，「６−Ｎ」のそれぞれの「Ｎ」は、互いに同じ数であることを意味しない。
【００１５】
管理センタ装置４は、ＣＰＵ，ＲＯＭ，ＲＡＭを含む割当処理部７を備えている。この割当処理部７は、診断端末装置２−１〜２−Ｎに通信を要求する際、その通信に係るデータを回線５−１〜５−Ｎのいずれかに割り当てる割当処理を行う。また、管理センタ装置４は記憶装置８を備えている。この記憶装置８は割当定義８ａと通信要求スケジュール表８ｂとを記憶している。
【００１６】
割当定義８ａは、データの種類Ａ，Ｂ，Ｃ，・・・と、優先度および回線グループ６−１〜６−Ｎとの対応関係を示している。割当処理部７は割当定義８ａに基づいて割当処理を行うようにコンピュータプログラムにより設定されている。
【００１７】
通信要求スケジュール表８ｂは、割当処理部７に対して診断端末装置２−１〜２−Ｎとの通信を行うことを要求するスケジュールを示すものであって、そのスケジュールはデータの種類Ａ，Ｂ，Ｃ・・・のそれぞれごとに設定されている。割当処理部７は、通信要求スケジュール表８ｂに従って診断端末装置２−１〜２−Ｎとの通信を行うようにコンピュータプログラムにより設定されている。
【００１８】
特に、昇降機用データ通信システム１においては、分割処理部７が後述する第１割当処理手段７ａ、判定手段７ｂ、第２割当処理手段７ｃとして機能するようにコンピュータプログラムにより設定されている。
【００１９】
第１割当処理手段７ａは、割当定義８ａに示されたデータの種類Ａ，Ｂ，Ｃ・・・のそれぞれと回線グループ６−１〜６−Ｎのそれぞれとの対応関係のみに基づいた割当処理（以下「第１割当処理」という）を行う。つまり、種類Ａのデータを扱う通信の際には高優先度用グループ６−１中の回線のみにデータを割り当て、種類Ｂのデータを扱う通信の際には低優先度用グループ６−２中の回線のみにデータを割り当て、種類Ｃのデータを扱う通信の際には低優先度用グループ６−Ｎ中の回線のみにデータを割り当てる、というような割当処理を行う。
【００２０】
判定手段７ｂは、高優先度用グループに対して高優先度データのデータ量が過剰かどうかを判定する。高優先度データのデータ量の過剰とは、高優先度データのデータ量が、高優先度用グループ中のすべての回線を使用しても通信の所要時間が所定時間を越えるだけある状態である。
【００２１】
第２割当処理手段７ｃは、判定手段７ｂにより高優先度データのデータ量が過剰であると判定されたとき、低優先度用グループ中の回線に高優先度データの過剰分を割り当てる割当処理（以下「第２割当処理」という）を行う。この第２割当処理時、低優先度用グループ中の総回線数から所定数を減じた回線数を、高優先度データを割り当てる回線数の上限とするように、第２割当処理手段７ｃは設定されている。
【００２２】
第２割当処理が行われる場合の一例を、図２を用いて説明する。
【００２３】
第２分割処理を行う前、低優先度用グループ６−２および高優先度用グループ６−１のそれぞれの状態は、図２（ａ）に示す状態であるとする。つまり、低優先度用グループ６−２中のすべての回線を低優先度データＢが占有した状態であり、高優先度用回線グループ６−１中のすべての回線が空き状態（空き回線）である状態とする。
【００２４】
図２（ａ）に示した状態のときに、高優先度用グループ６−１と対応関係にある高優先度データＡを扱う通信が要求され、この高優先度データＡのデータ量が高優先度用グループ６−１のすべてを使用しても通信の所要時間が所定時間以内で送信できない過剰なデータ量であるとする。この場合、高優先度データＡに対して第１割当処理が行われ、図２（ｂ）に示すように、高優先度データＡの一部Ａ１、すなわち、高優先度データＡの総データ量のうちの通信所要時間が所定時間内となるだけのデータ量は、高優先度用グループ６−１中のすべての回線に割り当てられ、高優先度データＡから一部Ａ１を除いた過剰分Ａ２は、どの回線に割り当てられない状態なる。このとき、低優先度データＢは、低優先度用グループ６−２中のすべての回線を占有した状態である。
【００２５】
このように図２（ｂ）に示した状態になると、第２割当処理が行われ、低優先度用回線グループ６−２中の総回線数から所定数（例えば１）を減じた回線数を上限として、低優先度用グループ６−２中の回線に高優先度データＡの過剰分Ａ２が割り当てられる。この結果、例えば図２（ｃ）に示すように、低優先度用グループ６−２中の回線を前記上限まで利用して高優先度データＡの過剰分Ａ２を割り当てた状態、つまり、低優先度用グループ６−２中の１回線以外が高優先度データＡに占有された状態となる。この状態では、低優先度データＢを扱う通信が、低優先度用グループ６−２中の１回線のみにより行われる。
【００２６】
なお、低優先度用グループ６−２中に空き状態の回線がある場合には、高優先度データＡの過剰分Ａ２の割当先として、その空き回線が優先される。また、高優先度データＡを低優先度用グループＢ中の回線に割り当てる際、低優先度用グループ６−２中の回線がすべて空き回線であったり、高優先度データＡの過剰分Ａ２のデータ量が所定時間を越える通信の所要時間を有したりしていても、低優先度用グループ６−２中の１回線を残して、高優先度データＡを扱う通信に使用することは変わらない。
【００２７】
割当処理部７が高優先度データの割当処理を行う際の処理の流れを、図３を用いて説明する。
【００２８】
図３に示すように、割当処理部７は、まず通信要求スケジュール表８ｂを読み込む（手順Ｓ１）。次に、そのときの日時と通信要求スケジュール表８ｂとを照合し、その日時に高優先度データの通信要求があるかどうかを判定する（手順Ｓ２）。高優先度データの通信要求がなければ再び手順Ｓ１からの処理を開始する。高優先度データの通信要求があった場合（手順Ｓ２でＹＥＳ）、割当定義８ａを取得し（手順Ｓ３）、第１割当処理手段７ａとして機能して第１割当処理を行う（手順Ｓ４）つまり、割当定義８ａに基づいて、通信要求に係る高優先度データに対応する高優先度用グループを選択し、その回線グループ中の回線に、通信要求に係る高優先度データを割り当てる。
【００２９】
次に、割当処理部７は判定手段７ｃとして機能し、通信要求に係る高優先度データのデータ量が、手順Ｓ４で選択した高優先度用グループ中のすべての回線を使用しても、通信の所要時間が所定時間を越える過剰なデータ量であるかどうかを判定する（手順Ｓ５）。過剰でなかった場合（手順Ｓ５でＮＯ）、第１割当処理の終了後に再び手順Ｓ１からの処理を開始する。過剰であった場合（手順Ｓ５でＹＥＳ）、割当処理部７は第２割当処理手段７ｃとして機能して第２割当処理を行う（手順Ｓ６）、つまり、低優先度用グループ中の１回線以外を、通信要求に係る高優先度データを扱う通信に使用する。割当処理部７は第２割当処理を終了すると、再び手順Ｓ１からの処理を開始する。
【００３０】
本発明の一実施形態に係る昇降機用データ通信システム１により次の効果を得られる。
【００３１】
昇降機用データ通信システム１では、管理センタ装置４が診断端末装置２−１〜２−Ｎとの間で高優先度データを扱う通信を行う際、高優先度データが過剰な場合、第２割当処理手段７ｃとしての割当処理部７が、高優先度データの過剰分を低優先度用回線グループ中の回線に割り当てる処理を行う。これにより、高優先度データを扱う通信の所要時間を短縮することができる。
【００３２】
また、第２割当処理手段７ｃとしての割当処理部７は、低優先度用回線グループ中の総回線数から所定数（本実施形態では１）を減じた回線数を、高優先度データを割り当てる回線数の上限としている。つまり、低優先度用回線グループ中の回線で高優先度データを扱った通信が行われている間、少なくとも１回線で低優先度データを扱う通信を行うことができる。これにより、高優先度データを扱う通信中における低優先度データの滞留を生じにくくすることができる。
【００３３】
なお、前述の実施形態に係る昇降機用データ通信システム１では、高優先度データの過剰分の割当先となる低優先度用グループが１つだけであったが、本発明はそれに限るものではなく、複数であってもよい。
【図面の簡単な説明】
【００３４】
【図１】本発明の一実施形態に係る昇降機用データ通信システムの構成の概略を示すブロック図である。
【図２】図２は図１に示した割当処理部が第２割当処理手段として機能したことによる回線の使用状況の推移の一例を単純化して示す図である。
【図３】図３は図１に示した割当処理部が高優先度データの割当処理を行う際の処理の流れを示すフローチャートである。
【符号の説明】
【００３５】
１  昇降機用データ通信システム
２−１〜２−Ｎ  診断端末装置
３  一般電話回線
４  管理センタ装置
５−１〜５−Ｎ  回線
６−１〜６−Ｎ  回線グループ
７  割当処理部
７ａ  第１分割処理手段
７ｂ  判定手段
７ｃ  第２分割処理手段
８  記憶装置
８ａ  割当定義
８ｂ  通信要求スケジュール表
【図１】
2009152994.tif 000003
【図２】
2009152994.tif 000004
【図３】
2009152994.tif 000005